(57)【要約】  【課題】  ユーザがシリーズ番組を視聴する場合、そのシリーズ中に未視聴の番組があったとき、これを視聴できる未視聴番組提供テレビを提供する。  【解決手段】  ユーザの現在のシリーズ番組の視聴をきっかけに視聴履歴から未視聴番組の存在を検索し、存在すればその未視聴番組を録画、放送波、ネットワークなどから検索し取得して、現在の番組を録画して先に未視聴番組を見せるなど、そのとき可能な番組提供手段を用いて未視聴番組を提供する。【選択図】  図１
2005159579.tif 000002
【特許請求の範囲】
【請求項１】
外部ネットワークからの番組情報や番組データの入力を受け付ける受信部と、
前記受信部からの入力信号をデコードするデコーダと、
ユーザからの指示を受け付ける入力部と、
前記ユーザが現在視聴している番組を検出する視聴番組検出部と、
番組情報要求を基にネットワークから番組の情報を検索する番組情報検索部と、
前記視聴番組検出部と前記番組情報検索部からの番組情報を基に視聴履歴情報を作成、保存し、視聴履歴情報検索の要求に従って該当の視聴履歴を検索、出力する視聴履歴管理部と、
前記視聴履歴管理部からの視聴履歴情報を保存する視聴履歴保存部と、
前記視聴番組検出部からの視聴番組検出信号を基に前記番組情報検索部へ番組情報の検索と前記視聴履歴管理部へ視聴履歴情報検索を要求し、その結果を基に現在視聴中の番組と同シリーズの未視聴番組を特定し、ネットワークを検索し、現在の状態に適した未視聴番組を視聴するための情報を提供する未視聴番組提供部と、
前記未視聴番組提供部からの提示画面生成要求を基にユーザに提示する画面を生成するＧＵＩ生成部と、
前記デコーダからの番組データと前記ＧＵＩ生成部からの入力信号を合成して出力画面を生成する合成部と、
前記合成部からの合成された番組データをディスプレイへ出力する出力部とを、
有する未視聴番組提供テレビ。
【請求項２】
前記受信部から受け付けた入力信号から入手した番組情報を保存、管理する番組情報ＤＢを備え、前記番組情報検索部の検索対象として前記ネットワークに加え、前記番組情報ＤＢを検索対象とするよう構成された請求項１に記載の未視聴番組提供テレビ。
【請求項３】
外部ネットワークからの番組情報や番組データの入力を受け付ける受信部と、
前記受信部からの入力信号をデコードするデコーダと、
ユーザからの指示を受け付ける入力部と、
前記ユーザが現在視聴している番組を検出する視聴番組検出部と、
前記視聴番組検出部と前記番組情報検索部からの番組情報を基に視聴履歴情報を作成、保存し、視聴履歴情報検索の要求に従って該当の視聴履歴を検索、出力する視聴履歴管理部と、
前記視聴履歴管理部からの視聴履歴情報を保存する視聴履歴保存部と、
前記受信部から受け付けた入力信号から入手した番組情報を保存、管理する番組情報ＤＢと、
番組情報要求を基に前記番組情報ＤＢから番組の情報を検索する番組情報検索部と、
前記視聴番組検出部からの視聴番組検出信号を基に前記番組情報検索部へ番組情報の検索と前記視聴履歴管理部へ視聴履歴情報検索を要求し、その結果を基に現在視聴中の番組と同シリーズの未視聴番組を特定し、前記番組情報ＤＢを検索し、現在の状態に適した未視聴番組を視聴するための情報を提供する未視聴番組提供部と、
前記未視聴番組提供部からの提示画面生成要求を基にユーザに提示する画面を生成するＧＵＩ生成部と、
前記デコーダからの番組データと前記ＧＵＩ生成部からの入力信号を合成して出力画面を生成する合成部と、
前記合成部からの合成された番組データをディスプレイへ出力する出力部とを、
有する未視聴番組提供テレビ。
【請求項４】
前記受信部からの入力信号中の番組データを蓄積する番組保存領域を備え、前記番組情報ＤＢは、前記番組保存領域に保存されている番組に関する情報も合わせて管理するよう構成されている請求項２又は３に記載の未視聴番組提供テレビ。
【請求項５】
前記未視聴番組を検出又は取得後、自動的に前記現在視聴している番組の録画を開始し、前記未視聴番組の提示を行う未視聴番組提供部を有する請求項１又は３に記載の未視聴番組提供テレビ。
【請求項６】
前記未視聴番組を検出又は取得後、前記未視聴番組の提示を行い、提示した未視聴番組を視聴する場合に、前記現在視聴している番組の録画を行う未視聴番組提供部を有する請求項１又は３に記載の未視聴番組提供テレビ。
【請求項７】
前記未視聴番組の提示を行い、利用者が未視聴番組の視聴を選択しない場合、既に自動的に録画を開始した前記番組の録画を停止し、既に録画した部分を削除する未視聴番組提供部を有する請求項５に記載の未視聴番組提供テレビ。
【請求項８】
前記未視聴番組を検出又は取得後、前記未視聴番組の存在をアラート表示し、選択されると前記未視聴番組取得通知、前記未視聴番組情報及び選択可能なメニューを通知するＧＵＩ生成部を有する請求項１又は３に記載の未視聴番組提供テレビ。
【請求項９】
前記未視聴番組を視聴するための操作を行える見逃し番組ボタンをリモコンに具備し、前記未視聴番組が存在すれば前記見逃し番組ボタンを光らせるための信号を送出する信号送出部を有する請求項１又は３に記載の未視聴番組提供テレビ。
【請求項１０】
前記未視聴番組を検出後、未視聴番組のダイジェストの視聴を、ユーザへ提示する未視聴番組提供部を有する請求項１又は３に記載の未視聴番組提供テレビ。
【請求項１１】
前記未視聴番組を検出後、前記未視聴番組だけでなく視聴済番組のダイジェストの視聴も併せて、ユーザへ提示する未視聴番組提供部を有する請求項１０に記載の未視聴番組提供テレビ。
【請求項１２】
前記ダイジェストを提供する場合、前記未視聴番組は長めのダイジェストを、前記視聴済番組は短めのダイジェストを、ユーザへ提示する未視聴番組提供部を有する請求項１０に記載の未視聴番組提供テレビ。
【請求項１３】
前記ダイジェストを提供する場合、テレビ内で未視聴番組からダイジェストを生成するダイジェスト生成部を有する請求項１０から１２のいずれか１つに記載の未視聴番組提供テレビ。
【請求項１４】
前記ダイジェストを提供する場合、外部で作成済みのダイジェストを検索、提供するよう構成された請求項１０から１２のいずれか１つに記載の未視聴番組提供テレビ。
【請求項１５】
前記未視聴番組を検出後、前記未視聴番組がすぐに視聴できない場合、現在視聴中の番組を録画し、前記未視聴番組が視聴可能になってから、前記未視聴番組、前記現在視聴中の番組と視聴を促す未視聴番組提供部を有する請求項１又は３に記載の未視聴番組提供テレビ。
【請求項１６】
前記未視聴番組を検出後、前記未視聴番組がすぐに視聴できない場合、現在視聴中の番組を録画及び現在の視聴を禁止し、未視聴番組が視聴可能になってから、前記未視聴番組、前記現在視聴中の番組と視聴させる未視聴番組提供部を有する請求項１又は３に記載の未視聴番組提供テレビ。
【発明の詳細な説明】
【技術分野】
【０００１】
本発明はコンテンツを配信し、さらにコンテンツのアーカイブをＶＯＤなどで提供するシステムに関し、特に現在視聴中のシリーズものの番組などのコンテンツの未視聴コンテンツを視聴するテレビの改良に関する。
【背景技術】
【０００２】
現在、ＴＶ放送におけるドラマなどのシリーズ番組の見忘れに対する対応手段は各種考案されている。例えば、連続して視聴していたシリーズ番組の次回の番組を自動的に録画予約するもののように見忘れ防止目的でこれから先に放送されるものに対して適宜対応することは多く考えられている。また、シリーズ番組の見逃したもの（過去に放送された番組）に対する対応についても下記の特許文献１に開示されているように、見逃した番組の再放送録画やダイジェストの録画をするシステムも提案されている。
【特許文献１】特開２００２−５７９６９号公報
【発明の開示】
【発明が解決しようとする課題】
【０００３】
しかしながら、前記従来の技術では、シリーズ番組など時系列をもった番組で見逃した過去番組が再放送などで放送されていた場合に録画しておくものであり、現在ユーザが過去の見逃した番組を見ないまま最新の番組を見ようとしていても先に見逃した番組を見るように対処できない。つまり、時系列に沿って見ることを前提とした内容であっても、見逃した番組を見ることができない場合は、見ることができた場合に比べ、ユーザは最新の番組をより楽しむことができないという課題を有している。また、放送番組が放送のみから送信されるわけではなく、ＶＯＤやＤＬ（ダウンロード）コンテンツなど多様な形式が考えられる。
本発明は、上記課題に鑑みてなされたものであり、ユーザがシリーズ番組を視聴していることをトリガーに過去の見ていないシリーズ番組を検索し、最適な対処を行い、未視聴コンテンツの発見、利用、提示を行うことが可能な受信装置としての未視聴番組提供テレビを提供することを目的とする。
【課題を解決するための手段】
【０００４】
上記従来の課題を解決するために、本発明にかかる未視聴番組提供テレビ装置は番組データと番組情報を受信する受信部と番組を保存する番組保存部と番組情報を保存する番組情報保存部と番組情報を検索する番組情報検索部と視聴履歴を保存、検索を行う視聴履歴管理部と視聴履歴を保存する視聴履歴保存部とユーザの視聴番組を検出する視聴番組検出部とディスプレイなどへ出力する出力部とユーザからの入力を受け付ける入力部と未視聴番組を提示する画面を生成するＧＵＩ生成部と未視聴番組を提示する画面と通常番組を合成する合成部とユーザの視聴番組検出情報から視聴番組情報と視聴履歴情報から未視聴番組を判断し、未視聴番組を検索してユーザに提示すること特徴とする未視聴番組提供部とを具備したものである。
【発明の効果】
【０００５】
本発明によりシリーズ番組で見逃した回がある場合や、２話目以降から見始めた場合にも比較的短時間に見逃し、未視聴番組の提供が可能となる。また、継続して見ていない場合や、飛ばし飛ばし見ている場合などでも、そのとき一番手に入れやすい過去の番組の視聴及びダイジェスト視聴を可能とし、現在見ようとしているコンテンツの過去の経緯を把握することができるため、よりコンテンツを楽しめるという効果がある。
【発明を実施するための最良の形態】
【０００６】
以下本発明の実施の形態について、図面を参照しながら説明する。
＜＜実施の形態１＞＞
図１の未視聴番組提供テレビは、
外部ネットワーク（放送、Ｎｅｔ）からの番組情報や番組データの入力を受け付ける受信部１０１と、
受信部１０１から受け付けた入力信号から入手した番組情報を管理する番組情報ＤＢ（Data Base：データベース）１０２と、
受信部１０１からの入力信号中の番組データを蓄積する番組保存領域１０６と、
受信部１０１又は番組保存領域１０６からの入力信号をデコードするデコーダ１１０と、
ユーザからの選択、決定などの入力信号を受け付ける入力部１１１と、
ユーザが現在視聴している番組を検出する視聴番組検出部１０５と、
番組情報要求を基に番組情報ＤＢ１０２及びネットワークから番組の情報を検索する番組情報検索部１０３と、
視聴番組検出部１０５と番組情報検索部１０３からの番組情報を基に視聴履歴情報を作成、保存し、視聴履歴情報検索の要求に従って該当視聴履歴を検索、出力する視聴履歴管理部１０８と、
視聴履歴管理部１０８からの視聴履歴情報を保存する視聴履歴保存部１０９と、
視聴番組検出部１０５からの視聴番組検出信号を基に番組情報検索部１０３へ番組情報の検索と視聴履歴管理部１０８へ視聴履歴情報検索を要求し、その結果を基に現在視聴中の番組と同シリーズの未視聴番組を特定し、ネットワークと番組保存領域内の番組を検索し、現在の状態に適した未視聴番組を視聴するための情報を提供する未視聴番組提供部１０７と、
未視聴番組提供部１０７からの提示画面生成要求を基にユーザに提示する画面を生成するＧＵＩ生成部１０４と、
デコーダ１１０からの番組データとＧＵＩ生成部１０４からの入力信号を合成して出力画面を生成する合成部１１２と、
合成部１１２からの合成された番組データをディスプレイへ出力する出力部１１３とから構成される。
【０００７】
＜受信部１０１＞
受信部１０１は、ネットワークからの番組データ、番組情報などのデータを受信し、入力した信号のうち、番組情報は番組情報ＤＢ１０２へ送り、番組データは入力部１１１、未視聴番組提供部１０７の指示により、番組保存領域１０６及びデコーダ１１０へ送る。
【０００８】
なお、ネットワークとは番組や番組情報が送られてくる通信手段で衛星放送や地上波放送、ＣＡＴＶ、ＩＰ放送などの放送波や、ＡＤＳＬやＦＴＴＨなどの通信、その他のネットワークを指し、特に限定されるものではない。また、番組情報ＤＢ１０２を用いず、常時ネットワーク経由で番組情報を取得する場合は、番組情報ＤＢ１０２にデータを送ることは必須ではない。
【０００９】
＜番組情報ＤＢ１０２＞
番組情報ＤＢ１０２は、受信部１０１からの入力信号のうち番組情報の保存及び管理、端末において録画している番組の管理を行い、番組情報検索部１０３の要求により該当情報を送る番組情報ＤＢである。なお、番組情報とは番組データに対する詳細情報やロケーションが記述されたものであり、現在デジタル放送などで使用されているＳＩ（Service Information：サービス・インフォメーション）情報や、サーバ型放送で規定されているProgram Information（プログラム・インフォメーション）機器内の録画番組の管理情報である管理ＩＤなどを指し、特に限定されるものではない。
【００１０】
＜番組情報検索部１０３＞
番組情報検索部１０３は未視聴番組提供部１０７などから入力される番組情報要求を基に、番組情報ＤＢ１０２やネットワークを検索し番組保存領域１０６に保存してある録画番組の管理情報、放送波のＳＩ情報、通信網から該当の番組情報を検出し検索依頼元に番組情報を返信する。
【００１１】
＜ＧＵＩ生成部１０４＞
ＧＵＩ生成部１０４は、受信部１０１、入力部１１１、未視聴番組提供部１０７からの番組データ及び番組情報、提示形式指定を受け取り、表示する画面を作成する。詳細は実施の形態２及び３に説明する。
【００１２】
＜視聴番組検出部１０５＞
視聴番組検出部１０５は、受信部１０１からの番組データ、入力部１１１からの選択、決定信号を受け取り、ユーザがザッピングから番組の視聴を開始したことを検出する。具体的にはユーザが頻繁にチャンネルを変える情報によりザッピングを検出し、その後、一定期間同チャンネルに固定されたことから視聴番組を検出する。なお、チャンネルとは放送波によって送られてくる放送番組のチャンネルや通信のＩＰ放送、さらにＶＯＤやＤＬ、録画した番組など、特に限定されるものではない。
【００１３】
また、放送番組の場合などで現在放送中の番組を検出するわけだが、次の番組まで一定時間であれば次番組を視聴番組として検出することもできる。つまり番組を見ようとして該当するチャンネルにあわせて待っている場合、放送開始前のＣＭの間などに、これから見ようとする番組が何であるかを把握する。この処理により、番組が始まる前に未視聴番組を提示することが可能となる。さらに、この視聴しようとする番組の判定のための一定時間は特に限定されるものではない。
【００１４】
＜番組保存領域１０６＞
番組保存領域１０６は、受信部１０１からの番組データを未視聴番組提供部１０７、入力部１１１からの番組保存信号を基に蓄積する番組保存領域である。いわゆる通常のＨＤＤ（ハード・ディスク・ドライブ）レコーダの機能を有する。
【００１５】
＜未視聴番組提供部１０７＞
未視聴番組提供部１０７は、視聴番組検出部１０５からの視聴番組検出信号により番組情報検索部１０３へ番組情報取得の要求を行い、現在視聴中の番組がシリーズ番組かどうかを判断する。その後、現在視聴中の番組がシリーズ番組ならば、視聴履歴管理部１０８へ視聴履歴から前記シリーズ番組の視聴履歴を問い合わせ、現在視聴中の番組と同シリーズの未視聴番組を検出する。そして検出された未視聴番組を番組保存領域１０６やネットワークを検索して探す。見つかった情報に合わせ、ＧＵＩ生成部１０４へ画面生成要求を行う。
【００１６】
図２に未視聴番組提供部１０７のフローを示し、詳細に説明する。図２では、まずステップ２０１により、視聴番組検出部１０５からユーザが現在視聴している視聴番組の番組ＩＤ、チャンネル（通信網、録画含む）、時間などを取得する。そしてステップ２０２により、上記ステップ２０１で取得したユーザの視聴番組のＩＤを番組情報検索部１０３へ渡し、ユーザが視聴を始めた番組の番組情報を要求し、取得する。ここで用いている番組ＩＤとは、デジタル放送におけるnetwork＿id, Service＿id, event＿idなどの番組識別子、ＶＯＤなどで用いられるＵＲＬ、録画番組を内部で管理している管理ＩＤなど、番組を特定できる情報を示しており、その種類、形態について何ら制限を設けるものではない。そしてステップ２０３で上記ステップ２０２によって取得した番組情報を解析し、シリーズ番組かどうかを判断する。シリーズ番組である判定はデジタル放送で規定されているＳＩ情報のシリーズＩＤを利用してもよいし、ＴＶＡ（TV Anytime Forum：ティー・ブイ・エニータイム・フォーラム）で規定されているグループＩＤを利用してもよいし、さらに文字列検索や文字列比較などを用いてシリーズを判断してもよい。これは同一の番組名であり、サブタイトルや詳細情報として話数などが記述されている場合がありそれらを解析して該当する番組が第何話にあたるのかを認識するものである。
【００１７】
このように様々な判断方法が考えられるが、特にこの方法に限定されるものではない。そしてシリーズ番組かどうかの判定の結果、現在視聴中の番組がシリーズ番組でなければ処理を終え、シリーズ番組であればステップ２０４へ移り、上記番組情報を基に視聴履歴管理部１０８に視聴履歴の検索を要求する。その後ステップ２０５で視聴履歴を取得し、現在視聴中の番組と同シリーズ番組で未視聴の番組が存在するかを解析する。その結果、現在視聴中の番組と同シリーズ番組で未視聴番組が存在しない場合は処理を終え、存在する場合（同一シリーズを全く見ていない、一部しか見ていない）は、ステップ２０６に進み、存在する未視聴番組のうち最も過去の番組から番組の検索を開始する。その結果、ステップ２０７で未視聴番組が検出されなければ処理を終え、未視聴番組が検出された場合はステップ２０８に進み、検出された未視聴番組が現在すぐに視聴可能かどうかを判定する。具体的にステップ２０７、ステップ２０８である検出、判定手順を図６のフローに示した。
【００１８】
図６では、まずステップ６０１により番組保存領域１０６を番組情報検索部１０３を用いて検索する。その結果、番組保存領域１０６に未視聴番組が存在すればステップ６０８に進み、現在視聴可能な未視聴番組を検出と判定し、検索を終了する。存在しなければステップ６０２に進みネットワークからＶＯＤ番組を番組情報検索部１０３を用いて検索する。その結果、未視聴番組が存在すれば前記ステップ６０８に進み、検索を終了する。存在しなければステップ６０３に進み、ネットワークから放送番組を番組情報検索部１０３を用いて検索する。その結果、未視聴番組が存在すればステップ６０４に進み、検出した未視聴番組が現在視聴可能かをＳＩ情報などを用いて判定する。その結果、現在視聴可能であれば前記ステップ６０８に進み、検索を終了する。
【００１９】
視聴可能でなければステップ６０５へ進みネットワークからＤＬ番組を番組情報検索部１０３を用いて検索する。その結果、未視聴番組が存在しなければステップ６０９に進み、現在視聴可能ではないが未視聴番組は検出し、放送番組から検出と判定し、検索を終了する。未視聴番組が存在すればステップ６０６へ進み、検出した放送番組の未視聴番組とＤＬ番組の未視聴番組の予想取得時刻を比較する。具体的には放送番組はＳＩなどから取得するまでの時間が正確に取得でき、ＤＬ番組は番組のサイズやユーザの回線能力を考慮して取得する。なお、予想取得時刻は、放送番組を取得する開始や終了の時刻ではなく、取得した放送番組を見始めることができる時刻としておくことが好ましい。その後、上記２つの時刻を比較する。その結果、放送番組の方が早く取得できると判断されれば前記ステップ６０９に進み、検索を終了する。ＤＬ番組の方が早く取得できると判断されれば６１０ステップに進み、現在視聴可能ではないが未視聴番組は検出し、ＤＬ番組から検出したと判定し、検索を終了する。
【００２０】
ステップ６０３で放送番組に未視聴番組が存在しなければ、ステップ６０７に進みネットワークからＤＬ番組を番組情報検索部１０３を用いて検索する。その結果、未視聴番組が存在すれば、前記ステップ６１０に進み、検索を終了する。存在しなければ、ステップ６１１に進み、未視聴番組は検出できなかったと判定し、検索を終了する。
【００２１】
また、検索順１び検索の対象となる番組の提供形態は上記に限定するものではない。すなわち、特にネットワーク機能を持たないようなＨＤＤレコーダの場合は、検索対象を既に録画済みの番組だけにして、単純に録画したものを見忘れている場合に再生を促すようにしてもよい。判定の結果、視聴可能であれば図２中のステップ２１１に進み、現在の番組を録画し、ステップ２１２で未視聴番組を提示する。なお、ステップ２１１とステップ２１２での現在の番組の録画、未視聴番組の提示についての詳細は本実施の形態２において詳細に説明する。
【００２２】
また、ステップ２０８で現在すぐに視聴可能でなければステップ２０９に進み未視聴番組の取得予約を行い、ステップ２１０において未視聴番組情報をユーザに告知する。なお番組の取得予約についても、上記のように自動で行う場合と、ユーザに告知してからユーザの操作で行う場合も考えられるがそのどちらでもかまわない。また、未視聴番組を検索する場合、デジタル放送で規定されているＳＩを利用してもよいし、ＴＶＡで規定されているグループＩＤやＣＲ（Contents Reference：コンテンツ  レファレンス）ＩＤを利用してもよいが、特に限定するものではない。
【００２３】
また上記説明においては、検索して該当する未視聴番組が見つかった場合それを提示していたが、複数の手段で該当する未視聴番組が入手できる場合には、複数検出した番組を料金の安い順、現在視聴可能か若しくは視聴できる時間が現在から近い順に並べるなどして、ユーザに選択を促してもかまわない。また料金が安く現在視聴可能な番組をユーザに提示するのが望ましいが、限定するものではない。また、未視聴番組が複数ある場合、例えば１話から５話まで見ていない場合、１話目の視聴が終了した後、続けて２話目、３話目と続けて再生してもよいし、２話目以降があることをユーザに提示し、ユーザに視聴の判断をゆだねてもよい。
【００２４】
＜視聴履歴管理部１０８＞
視聴履歴管理部１０８は視聴番組検出部１０５及び番組情報検索部１０３からの番組情報を基に視聴履歴情報を作成し、視聴履歴保存部１０９へ保存し、未視聴番組提供部１０７からの視聴履歴の検索要求に応じて視聴履歴の検索を行い、その結果として視聴履歴情報を提供する。
【００２５】
＜視聴履歴保存部１０９＞
視聴履歴保存部１０９は視聴履歴管理部１０８からの保存要求に従って視聴履歴を保存し、また、視聴履歴管理部１０８からの検索要求に従って該当の視聴履歴を提供する。
【００２６】
＜デコーダ１１０＞
デコーダ１１０は受信部１０１からの番組データなどの入力信号をデコードし、合成部１１２へ出力する。
【００２７】
＜入力部１１１＞
入力部１１１はユーザからの選択、決定信号を受信信号に合わせて未視聴番組提供部１０７や受信部１０１へ伝える。この入力部１１１は、操作パネルや、リモコンの受光部に当たるものである。
【００２８】
＜合成部１１２＞
合成部１１２はデコーダ１１０やＧＵＩ生成部１０４からの番組データや表示画面信号を合成しユーザが視聴する画面を生成する。
【００２９】
＜出力部１１３＞
出力部１１３は合成部１１２からの表示画面信号を図示省略のディスプレイへ出力するとともに、音声信号を図示省略のスピーカに出力する。
【００３０】
＜＜実施の形態２＞＞
本実施の形態では、現在視聴中の番組と同シリーズの未視聴番組のユーザへの提示の仕方について前記ＧＵＩ生成部１０４を中心に説明する。未視聴番組提供部１０７において現在視聴可能な未視聴番組が検出され、ＧＵＩ生成部１０４においてユーザへの提示画面が生成される。ＧＵＩ生成部１０４で生成されるユーザへの提示画面が現在視聴可能の場合はユーザが現在視聴している番組は録画を開始しているため、表示を切り替えユーザが現在視聴していた番組に代わって、未視聴番組を表示する。このとき、ＧＵＩ生成部１０４は未視聴番組への表示の切り替え指示を行う。また、その場合、未視聴番組へ切り替えたことをスーパーインポーズの形で明記してもよい。この場合、ＧＵＩ生成部１０４は未視聴番組への切り替え指示を行い、さらにスーパーインポーズ表示を生成し、合成指示を出すことになる。
【００３１】
さらに、直接表示せずにメニュー画面を提示し、未視聴番組が現在視聴可能であること及び現在の番組は録画していることを明記し、ユーザに選択させるようにしてもよい。この場合、ＧＵＩ生成部１０４はメニュー画面を生成しメニュー画面への切り替え指示を行う。また、この場合、現在の番組の録画はユーザが未視聴番組を視聴する選択を行った後開始してもよい。上記メニュー画面のバリエーションとして図３のように現在の番組の表示を続け、その画面に邪魔にならないように画面の右上部などにアラート表示するようにし、それに気づいたユーザが選択することによって上記メニュー画面を表示するようにしてもよい。この場合、ＧＵＩ生成部１０４はメニュー画面をあらかじめ生成し、アラート表示をも生成する。そして、アラート表示の画面への合成指示を行う。
【００３２】
また、リモコンに見逃し番組ボタンを用意してもよい。さらに、未視聴番組が存在する場合には上記見逃し番組ボタンが光るなどの信号を出力してもよい。そしてユーザがリモコンにおいて見逃し番組ボタンを選択した場合に直接未視聴番組を表示してもよいし、上記メニューを表示してもよい。この場合、未視聴番組提供部１０７は、図示はしていないが、リモコンへの信号送出部に対して見逃し番組ボタンへの信号の発信を指示する。未視聴番組提供部１０７が検出した未視聴番組が現在すぐに視聴可能でなかった場合は、ＧＵＩ生成部１０４は未視聴番組を検出したという表示を準備した上で、取得後ユーザに提示する。
【００３３】
また、未視聴番組検出時点で未視聴番組が存在するという表示を行うようにしてもよい。この場合、ＧＵＩ生成部１０４は未視聴番組存在という表示を生成し、合成指示を行う。また、この場合の未視聴番組存在表示を出す時点では未視聴番組を自動的には取得せずに取得するか否かをユーザに選択させてもよい。この場合は現在の番組は自動的に録画を開始してもよいし、ユーザが未視聴番組を取得する操作を行ってから録画を開始してもよい。この場合のＧＵＩ生成部１０４でのメニュー画面生成は前記メニュー画面と同様の手順での生成、表示を行う。すなわち、アラート表示後のメニュー表示でもよい。
【００３４】
さらに、未視聴番組の取得を自動的に行った上で未視聴番組の存在を上記未視聴番組存在表示でユーザに提示した上で現在の番組を録画し、現在の番組を視聴できないようにして未視聴番組の視聴後に視聴するようにしてもよい。上記いくつかの例で現在視聴中の番組の録画を自動的に開始した場合はメニューなどでユーザが現在の番組をすぐに視聴する（未視聴番組を先に視聴しない）を選択したときに、それまで録画していた番組を削除する。
【００３５】
また本実施の形態で述べてきた、ユーザへの提示の仕方について、ユーザの初期設定で選択させるようにしてもよい。ユーザへの提示方法のバリエーションについては図５のように、本実施の形態で述べた方法が考えられる。しかし、図５のバリエーションに限定されるものではない。
【００３６】
＜＜実施の形態３＞＞
本実施の形態では、未視聴番組のダイジェストのユーザへの提供について図４を用いて説明する。本実施の形態では実施の形態１の構成にダイジェスト生成部４１４を追加した構成である。追加したダイジェスト生成部４１４は未視聴番組提供部４０７において現在視聴中の番組と同シリーズで現在視聴可能な未視聴番組、若しくは未視聴番組と視聴済み番組を取得した後、ダイジェストを生成する。詳細は以下で述べる。
【００３７】
前述の実施の形態２と同様、未視聴番組提供部４０７において現在視聴中の番組と同シリーズの現在視聴可能な未視聴番組が検出される。この場合、ダイジェスト生成部４１４で未視聴番組のダイジェストを生成する。ここでは、番組にはダイジェスト生成が可能な情報が付加されているものとする。たとえば、ＴＶＡで規定されているセグメンテーション情報などを利用してもよい。また、ネットワーク上にダイジェスト番組が存在していれば、ネットワークから取得しダイジェスト番組を提供してもよい。この場合ダイジェスト生成部４１４は特に何もしない。つまり、実施の形態１の構成で実現可能である。
【００３８】
ダイジェスト生成部４１４でダイジェストを生成した後にＧＵＩ生成部４０４でのユーザへの提示方法は前記実施の形態２と同様であり、提示の種類が１つ増えるだけである。つまり、番組を見る、ダイジェストを見るなどの選択肢が増えることとなる。
また、ダイジェスト生成部４１４でダイジェストを生成する場合に、未視聴番組のみでなく同シリーズ番組でユーザが視聴済みの番組についても未視聴番組と同様にダイジェストを生成し連続して提供してもよい。この場合、未視聴番組提供部４０７は未視聴番組を検出後、視聴済み番組をも検出する必要がある。
【００３９】
また、この場合も上記ダイジェスト生成時と同様にネットワーク上にダイジェスト番組が存在していれば、ネットワークから取得し、ダイジェスト番組を提供してもよい。さらにこの場合もネットワークからダイジェストを取得するためダイジェスト生成部４１４は特に何もしない。さらに、ダイジェスト生成部４１４でユーザが視聴している番組と同シリーズ番組すべてについてダイジェストを生成する前述の場合において、未視聴番組と視聴済み番組についてダイジェストの再生時間の長さを変えてもよい。つまり、未視聴番組については再生時間の長いダイジェスト（より細かい内容）を生成し、視聴済み番組については再生時間の短いダイジェスト（簡単な内容）を生成してもよい。
【００４０】
この場合も上記２つの場合と同様、ネットワーク上にダイジェスト番組（長いダイジェストと短いダイジェスト）が存在していれば、ネットワークから取得し提供してもよい。そのとき、視聴済み番組は短いダイジェストを取得し、未視聴番組は長いダイジェストを取得する。また、ネットワーク上にダイジェスト番組（長いダイジェストと短いダイジェスト）が存在しなければ、ネットワーク上で生成要求を行い、生成されたダイジェスト番組を取得してもよい。
【００４１】
本実施の形態で説明したダイジェスト番組をユーザに提供する場合、それぞれメニューに提示してユーザに選択させてもよいし、初期設定で選択させてもよい。また複数の回にまたがるダイジェストを提供する場合は、連続してダイジェストを表示してもよいし、ユーザに再生する回を選択させてもよい。ダイジェストの長さを視聴、未視聴で変える場合、すなわち視聴済の番組のダイジェストは未視聴のものより短時間とする場合は、視聴済番組と未視聴番組のダイジェストを連続して提供することにより、これまでの全体のあらすじが短時間で理解できるので、このような連続提供がより好適である。
【産業上の利用可能性】
【００４２】
本発明にかかる未視聴番組提供テレビは、放送番組アーカイブが存在する状況で通信ネットワーク対応ＨＤＤその他の記憶装置付きテレビ受信機などにおいて有用である。
【図面の簡単な説明】
【００４３】
【図１】本発明の未視聴番組提供テレビの各実施の形態に共通する構成を示す全体構成図
【図２】実施の形態１における未視聴番組提供部フロー図
【図３】実施の形態２におけるアラート表示例
【図４】図１の構成にダイジェスト生成部を加えた本発明の未視聴番組提供テレビの実施の形態３を示す全体構成図
【図５】本発明の実施の形態２での提示方法のバリエーションを示す図
【図６】本発明の各実施の形態における未視聴番組検索及び現在視聴可能かの判定フロー図
【符号の説明】
【００４４】
１０１  受信部
１０２  番組情報ＤＢ
１０３  番組情報検索部
１０４  ＧＵＩ生成部
１０５  視聴番組検出部
１０６  番組保存領域
１０７  未視聴番組提供部
１０８  視聴履歴管理部
１０９  視聴履歴保存部
１１０  デコーダ
１１１  入力部
１１２  合成部
１１３  出力部
２０１  視聴番組検出信号受信ステップ
２０２  番組情報取得要求ステップ
２０３  シリーズ番組判別ステップ
２０４  視聴履歴検索要求ステップ
２０５  未視聴番組の存在検出ステップ
２０６  未視聴番組検索ステップ
２０７  未視聴番組検出ステップ
２０８  未視聴番組視聴可能判定ステップ
２０９  未視聴番組取得予約ステップ
２１０  未視聴番組情報告知ステップ
２１１  現在の番組を録画するステップ
２１２  未視聴番組提示ステップ
４０１  受信部
４０２  番組情報ＤＢ
４０３  番組情報検索部
４０４  ＧＵＩ生成部
４０５  視聴番組検出部
４０６  番組保存領域
４０７  未視聴番組提供部
４０８  視聴履歴管理部
４０９  視聴履歴保存部
４１０  デコーダ
４１１  入力部
４１２  合成部
４１３  出力部
４１４  ダイジェスト生成部
６０１  番組保存領域検出ステップ
６０２  ＶＯＤ番組検出ステップ
６０３  放送番組検出ステップ
６０４  現在放映中かを判定するステップ
６０５  ＤＬ番組検出ステップ
６０６  予想取得時刻比較ステップ
６０７  ＤＬ番組検出ステップ
６０８  現在視聴可能な未視聴番組検出ステップ
６０９  現在視聴可能ではないが未視聴番組を放送番組から検出ステップ
６１０  現在視聴可能ではないが未視聴番組をＤＬ番組から検出ステップ
６１１  未視聴番組を検出不可ステップ
【図１】
2005159579.tif 000003
【図２】
2005159579.tif 000004
【図３】
2005159579.tif 000005
【図４】
2005159579.tif 000006
【図５】
2005159579.tif 000007
【図６】
2005159579.tif 000008